(57)【特許請求の範囲】
【請求項１】
平行な壁面と奥側の壁面に囲まれたトイレの、奥側の壁面から前方側に向かって設置された大便器の側方側に、縦方向に配設された配管を隠蔽する縦長の縦カバー体の上端には、前記縦方向に配設された配管と連結し壁面に沿って横方向に配設されて手洗器に接続される配管を隠蔽する横引き配管カバーが連結され、
該横引き配管カバーの開放された上面側はカウンターによって覆蓋され、
前記縦カバー体には着脱可能に点検パネルが取り付けられ、該点検パネルの下端には、前記縦方向に配設された配管を大便器が設置された横方向に引き出すための上下，前後に十分な寸法を有する開口が形成され、
該開口には大便器側へ延びる断面Ｌ字状のガイドカバー部が設けられているとともに、
該ガイドカバー部上には、大便器側へスライド調整可能な断面Ｌ字状のスライド横カバーが容易に取り外し可能に被せられている
ことを特徴とする配管隠蔽用のカバー構造。
【発明の詳細な説明】
【０００１】
【発明の属する技術分野】
この発明は、配管を隠蔽するためのカバー構造に関するものである。
【０００２】
【従来の技術及び発明が解決しようとする課題】
従来、便器の後方にキャビネットを配置させて、このキャビネット内に配管を隠す構造が一般的であるが、便器の後方にキャビネットを設けると、キャビネットのコストが増大し、また、キャビネットを取り付けるために施工が複雑となってしまうという問題点があった。
【０００３】
【課題を解決するための手段】
本発明は上記従来の問題点に鑑み案出したものであって、トイレ空間の間口に合わせて、配管を露出させることなく簡単に隠すことのできる配管隠蔽用のカバー構造を提供せんことを目的とし、その要旨は、平行な壁面と奥側の壁面に囲まれたトイレの、奥側の壁面から前方側に向かって設置された大便器の側方側に、縦方向に配設された配管を隠蔽する縦長の縦カバー体の上端には、前記縦方向に配設された配管と連結し壁面に沿って横方向に配設されて手洗器に接続される配管を隠蔽する横引き配管カバーが連結され、該横引き配管カバーの開放された上面側はカウンターによって覆蓋され、前記縦カバー体には着脱可能に点検パネルが取り付けられ、該点検パネルの下端には、前記縦方向に配設された配管を大便器が設置された横方向に引き出すための上下，前後に十分な寸法を有する開口が形成され、該開口には大便器側へ延びる断面Ｌ字状のガイドカバー部が設けられているとともに、該ガイドカバー部上には、大便器側へスライド調整可能な断面Ｌ字状のスライド横カバーが容易に取り外し可能に被せられていることである。
【０００４】
【発明の実施の形態】
以下、本発明の実施例を図面に基づいて説明する。
図１は、トイレの平面構成図であり、また図２は、図１の側面構成図であり、また図３は、図１の正面構成図である。
【０００５】
図において、トイレ１は、平行な壁面２ａ，２ｂと、奥側の壁面２ｃに囲まれており、中央部に、奥側の壁面２ｃから前方側に向かって便器３が設置され、壁面２ａ側に手洗器４が設置されて、手洗器４は手洗キャビネット５上に設置されたものであり、手洗キャビネット５から、壁面２ａに沿って水平方向に横引き配管カバー（箱体）６が設けられて、この横引き配管カバー６の上面にはカウンター７が設けられており、横引き配管カバー（箱体）６の左端から、配管キャビネット（縦カバー体）８が垂設されて、配管キャビネット（縦カバー体）８と便器３間は、スライド横カバー９で覆蓋されたものとなっている。
【０００６】
便器３の底側の床面に固定されている排水ソケット１０の裏側に、壁面２ｃ側に突出して回動可能に設けられた接続エルボ１５には、縦排水ホース１７が接続され、この縦排水ホース１７は、配管キャビネット（縦カバー体）８内に隠蔽状に通されて、さらに横引き配管カバー（箱体）６内の横排水ホース１８に接続部１８ａで接続され、この横排水ホース１８は、手洗器４の排水口に接続されている。
また、便器３に給水するための給水管から枝別れさせた給水ホース２０も、便器３側から、配管キャビネット（縦カバー体）８内を通し、さらに横引き配管カバー（箱体）６内を通して、手洗器４側に配管されている。
【０００７】
このように、便器３の排水経路、および給水経路に対し、手洗器４の排水経路、および給水経路をそれぞれ接続して、トイレ１内に手洗器４を設置することができるものであり、手洗器４を設置する際に、手洗器４用の排水、および給水管を別個に配管する手間がかからず、コストを低減させて、トイレ１内に便器３と共に手洗器４を設置することができ、また、便器３側から手洗器４に接続する排水ホース１７，１８、および給水ホース２０はすべて隠蔽されて、極めてスッキリとした設置状態が得られるものである。
【０００８】
引き続き、細部について説明すると、図４では、便器３の底側に設置されている排水ソケット１０を示しており、この排水ソケット１０は、固定部１３を介してトイレの床面Ｆの所定位置に固定され、排水ソケット１０の上面側に、便器３の排水口が上方より差し込まれて接続されるものである。
この排水ソケット１０には、アジャスター部１１を介してフランジ部１２が接続され、このフランジ部１２は、床面Ｆに設けられている下水に通じる排水管に接続されるものであり、アジャスター部１１の寸法調整により、フランジ部１２と排水ソケット１０間の距離が調整されて、便器３に対応して床面Ｆに排水ソケット１０が設置される。
【０００９】
この排水ソケット１０から、後方、すなわち壁面２ｃ側に向かって突出して、背突出管１４が設けられており、この背突出管１４の後端には、軸連結部１５ｂで軸連結して接続エルボ１５が接続されており、軸連結部１５ｂを中心として左右方向、すなわちＬ側，Ｒ側に接続エルボ１５は回動可能に構成されている。
【００１０】
なお、接続エルボ１５の先端には、拡径した接合部１５ａが一体形成されており、この接合部１５ａ内に、図５で示すように、前述した縦排水ホース（配水管）１７の先端の差込部１７ａが差し込まれて接続される。
なお、差込部１７ａの先端を切断して、接合部１５ａ内への差込代ａが調整され、接着剤等を介して水密状に縦排水ホース（配水管）１７を接続エルボ１５に接続することができるものである。
【００１１】
すなわち、縦排水ホース（配水管）１７は、前述した手洗器４から横引き配管カバー（箱体）６内を隠蔽状に通した横排水ホース１８に他端が接続され、配管キャビネット（縦カバー体）８内を縦方向に通して、良好に接続エルボ１５に接続させることができ、手洗器４からの排水を良好に接続エルボ１５から排水ソケット１０を通し、フランジ部１２側へ流すことができるものとなる。
【００１２】
なお、図６は、排水ソケット１０を後部側から見た斜視構成図であり、図６は壁面２ａ側に手洗器４が設置される場合に、右側へ接続エルボ１５を傾かせたものであり、この図６の接続エルボ１５に対し、縦排水ホース（配水管）１７を接続し、さらに便器３側の給水管と手洗器４からの給水ホース２０を接続した状態を図７に示す。すなわち、図６および図７は、Ｒ仕様の接続状態図である。
なお、便器３の後面には、後部開口３ａが開口されており、この後部開口３ａ内に背突出管１４が通され、接続エルボ１５は、便器５の後面の隠れた位置で左右方向に回動させることができるものであり、接続エルボ１５は、便器３で隠蔽された状態となり、この接続エルボ１５に対し縦排水ホース（配水管）１７が、便器３の後面の隠れた部分で接合されるため、スッキリとした設置状態が得られて、トイレ１内の意匠性が向上するものとなる。
【００１３】
なお、接続エルボ１５には、対向状に支持棒１６ａおよび１６ｂが突出形成されており、図６および図７のＲ仕様の場合には、支持棒１６ａの下端を床面Ｆに当接させて、良好な勾配に接続エルボ１５を設置できるものであり、このＲ仕様の場合には、支持棒１６ｂは不要であるため、現場で適宜切断して取り除くことができるものである。
なお、支持棒１６ａが床面Ｆに当接した状態で良好な排水勾配が接続エルボ１５に確保されるため、排水勾配の調整を行う必要がなく、施工が容易なものとなる。
【００１４】
なお、図８は、接続エルボ１５を反対方向に回動させて、支持棒１６ｂを床面Ｆに当接させて設置するＬ仕様の場合であり、Ｌ仕様における配管の接続状態を図９に示す。このＬ仕様は、後述するように手洗器４が壁面２ｂ側に設置される場合である。
【００１５】
なお、図１０は、Ｒ仕様における要部の接続状態を拡大して平面図で示すものであり、接続エルボ１５に接続された縦排水ホース１７は、配管キャビネット（縦カバー体）８内に隠蔽状に配管されるが、配管キャビネット（縦カバー体）８と便器３間においても、縦排水ホース１７は、スライド横カバー９により良好に隠蔽されるものである。
【００１６】
すなわち、図１１の分解斜視図、および図１３の組立状態の要部斜視図で示すように、配管キャビネット（縦カバー体）８の前面には、ビスで着脱可能に点検パネル２４が取り付けられるのであり、配管キャビネット（縦カバー体）８内に縦排水ホース１７、および給水ホース２０を配管させた後に、点検パネル２４を前面に取り付けして、隠蔽させることができるものである。
この点検パネル２４の下端側には、上下および前後方向に十分な寸法を有して開口された開口２４ａが形成されており、この開口２４ａには、Ｌ字状のガイドカバー部２５が便器３側へ突出されており、このガイドカバー部２５上に、Ｌ字状のスライド横カバー９が被せられ、このスライド横カバー９は、ガイドカバー部２５に沿って適宜横方向にスライドさせて、便器３と配管キャビネット（縦カバー体）８間の間口に対応させて調整することができるものである。
なお、Ｌ字金具２６を用いて、スライド横カバー９を自立させることができるように構成することもできる。
【００１７】
スライド横カバー９を図１３のように、間口寸法に合わせて横方向にスライドさせて適宜調整し、接続エルボ１５に接続される縦排水ホース１７等を、スライド横カバー９で良好に隠蔽させることができるものである。なお、スライド横カバー９は容易に取り外すことができるために、接続エルボ１５と縦排水ホース１７の接続部の点検等を容易に行えるものとなる。
なお、便器３の施工位置がズレている場合でも、前後左右に十分な寸法に開口２４ａが形成されているため、縦排水ホース１７、および給水ホース２０を配管キャビネット（縦カバー体）８から便器３側に容易に接続でき、施工誤差を吸収させて良好に配管の取り回しが可能となる。
【００１８】
なお、図１１に示すように、配管キャビネット（縦カバー体）８の上端には、横引き配管カバー（箱体）６の左端部が連結されるものであり、横引き配管カバー（箱体）６は、図１２の断面図で示すように、前板６ａと底板６ｂと背板６ｃで箱状に形成されており、開放された上面側は、カウンター７によって覆蓋されるもので、横引き配管カバー（箱体）６内には、横排水ホース１８がバンド金具１９を介して横方向に配管され、また、給水ホース２０がバンド金具２１を介して横方向に配管されるものである。
【００１９】
なお、横引き配管カバー（箱体）６は、前板６ａの高さ寸法に対し、背板６ｃの高さ寸法が、上端の突出部６ｄ分だけ高い寸法に設定されており、この前板６ａの上端よりも高く突出された背板の突出部６ｄにビス孔２７を形成して、ビス２８をビス孔２７内に入れ、室内側からドライバー等でビス２８を壁面２ａにネジ込んで、壁面２ａに横引き配管カバー（箱体）６を取り付けることができるものであり、ドライバーを水平にして、ビス２８を水平方向に壁面２ａにネジ込むことができ、作業が容易なものとなり、従来のようにビス２８を上方から斜めに打ち込む必要がなく、横引き配管カバー（箱体）６の位置ズレも少ないものとなる。
また、カウンター７の後部底面側には、切り欠き状に切欠段部７ａが形成されており、この切欠段部７ａ内に背板６ｃの上端の突出部６ｄが収納され、カウンター７は水平状態で横引き配管カバー（箱体）６上に覆設されるものである。
なお、横引き配管カバー（箱体）６の底側には、ペーパーホルダー３０が配置されるものである。
【００２０】
なお、図１４の斜視図は、Ｌ仕様のトイレの斜視構成図であり、また、図１５は、Ｌ仕様の場合の壁面２ｃ側から便器の裏側を見た配管構成図である。
すなわち、Ｌ仕様においても、同様な構成部材を用いて良好に手洗器４を設置して、手洗器４から排水ホース、および給水ホースを良好に便器３側へ隠蔽状に配管することができ、現場の間口寸法に対応させて、スライド横カバー９を横方向にスライド調整して、便器３側の配管接続部もスッキリとした状態に隠蔽させることができ、トイレの意匠性が向上する。
なお、本例では、横引き配管カバー（箱体）６上に覆設されるカウンター７について例示しているが、キャビネット及びキャビネット上に覆設されるカウンターについても、同様な構造を採用することができるものである。
【００２１】
【発明の効果】
本発明の配管隠蔽用のカバー構造は、平行な壁面と奥側の壁面に囲まれたトイレの、奥側の壁面から前方側に向かって設置された大便器の側方側に、縦方向に配設された配管を隠蔽する縦長の縦カバー体の上端には、前記縦方向に配設された配管と連結し壁面に沿って横方向に配設されて手洗器に接続される配管を隠蔽する横引き配管カバーが連結され、該横引き配管カバーの開放された上面側はカウンターによって覆蓋され、前記縦カバー体には着脱可能に点検パネルが取り付けられ、該点検パネルの下端には、前記縦方向に配設された配管を大便器が設置された横方向に引き出すための上下，前後に十分な寸法を有する開口が形成され、該開口には大便器側へ延びる断面Ｌ字状のガイドカバー部が設けられているとともに、該ガイドカバー部上には、大便器側へスライド調整可能な断面Ｌ字状のスライド横カバーが容易に取り外し可能に被せられていることにより、手洗器用の排水、および給水配管をすべて隠蔽させて、極めてスッキリとトイレ内に大便器と共に手洗器を設置することができ、また、縦カバー体内に隠蔽状に配設した配管の下端を、大便器の位置に合わせて上下，前後に調整して、大便器側へ開口から引き出すことができ、この開口はガイドカバー部で隠蔽され、しかもガイドカバー部上には大便器側へ調整可能なスライド横カバーが被せられているため、トイレの間口に合わせて、すなわち縦カバー体と大便器間の寸法に対応させて、ガイドカバー部に対しスライド横カバーを大便器側へスライド調整して、大便器側へ引き出される配管を良好に隠蔽することができる。また、点検パネル，スライド横カバーは容易に取り外すことができるために、配管接続部の点検等が容易となる効果を有する。
【図面の簡単な説明】
【図１】  Ｒ仕様のトイレの平面構成図である。
【図２】  図１の側面構成図である。
【図３】  図１の正面構成図である。
【図４】  便器の底側に設置される排水ソケット周辺の斜視構成図である。
【図５】  排水ソケットから突出された接続エルボに対し、排水ホースを接続する状態の要部平面構成図である。
【図６】  排水ソケットを裏側から見たＲ仕様の場合の接続エルボ回動状態図である。
【図７】  図６の接続エルボに排水ホースを接続した状態の便器の裏側からの要部構成図である。
【図８】  排水ソケットを裏側から見たＬ仕様の場合の接続エルボ回動状態図である。
【図９】  図８の接続エルボに排水ホースを接続した状態の便器の裏側からの要部構成図である。
【図１０】  Ｒ仕様の配管状態を拡大して示す平面構成図である。
【図１１】  配管キャビネットおよび横引き配管カバー周辺の分解斜視図である。
【図１２】  横引き配管カバーの縦断面構成図である。
【図１３】  スライド横カバーによる間口の調整状態の斜視構成図である。
【図１４】  Ｌ仕様のトイレの斜視構成図である。
【図１５】  Ｌ仕様のトイレにおける便器の裏側から見た配管構成図である。
【符号の説明】
１  トイレ
２ａ，２ｂ，２ｃ  壁面
３  便器
３ａ  後部開口
４  手洗器
５  手洗キャビネット
６  横引き配管カバー（箱体）
７  カウンター
７ａ  切欠段部
６ａ  前板
６ｂ  底板
６ｃ  背板
６ｄ  突出部
８  配管キャビネット（縦カバー体）
９  スライド横カバー
１０  排水ソケット
１１  アジャスター部
１２  フランジ部
１３  固定部
１４  背突出管
１５  接続エルボ
１５ａ  接合部
１５ｂ  軸連結部
１６，１６ａ，１６ｂ  支持棒
１７  縦排水ホース
１７ａ  差込部
１８  横排水ホース
１９，２１  バンド金具
２０  給水ホース
２４  点検パネル
２４ａ  開口
２５  ガイドカバー部
２６  Ｌ字金具
２７  ビス孔
２８  ビス
３０  ペーパーホルダー
【図１】
0004451043.tif 000002
【図２】
0004451043.tif 000003
【図３】
0004451043.tif 000004
【図４】
0004451043.tif 000005
【図５】
0004451043.tif 000006
【図６】
0004451043.tif 000007
【図７】
0004451043.tif 000008
【図８】
0004451043.tif 000009
【図９】
0004451043.tif 000010
【図１０】
0004451043.tif 000011
【図１１】
0004451043.tif 000012
【図１２】
0004451043.tif 000013
【図１３】
0004451043.tif 000014
【図１４】
0004451043.tif 000015
【図１５】
0004451043.tif 000016